【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
界面活性剤系であって、
以下の式：
Ｒ１−Ｏ−（ＥＯ）ｘ３（ＰＯ）ｙ３−Ｈ  （Ａ）
（式中、Ｒ１が直鎖Ｃ１０−Ｃ１６アルキルであり、ｘ３が５〜８であり、ｙ３が２〜５である）、または
Ｒ１−Ｏ−（ＥＯ）ｘ４（ＰＯ）ｙ４−Ｈ（Ａ２）
（式中、Ｒ１が直鎖Ｃ１０−Ｃ１６アルキルであり、ｘ４が４〜６であり、ｙ４が３〜５である）に従う、少なくとも１つの非イオン性アルコールアルコキシレートと、
以下の式：
Ｒ２−Ｏ−（ＥＯ）ｘ１−Ｈ  （Ｂ）
（式中、Ｒ２が、残基１つ当たり平均少なくとも２つの分岐を有するＣ１０−Ｃ１４アルキルであり、ｘ１が５〜１０である）に従う、非イオン性アルコールアルコキシレートと、を含む、界面活性剤系。
【請求項２】
以下の式：
Ｒ２−Ｏ−（ＥＯ）ｘ２−Ｈ  （Ｃ）
（式中、Ｒ２が、残基１つ当たり平均少なくとも２つの分岐を有するＣ１０−Ｃ１４アルキルであり、ｘ２が２〜４である）に従う、非イオン性アルコールアルコキシレートをさらに含む、請求項１に記載の界面活性剤系。
【請求項３】
以下の式：
Ｒ７−Ｏ−（ＰＯ）ｙ５（ＥＯ）ｘ５（ＰＯ）ｙ６  （Ｄ）
（式中、Ｒ７が、分岐鎖Ｃ８−Ｃ１６ゲルベ（Ｇｕｅｒｂｅｔ）アルコールであり、ｘ５が５〜３０であり、ｙ５が１〜４であり、ｙ６が１０〜２０である）、
Ｒ６−Ｏ−（ＰＯ）ｙ４（ＥＯ）ｘ４  （Ｅ）
（式中、Ｒ６が、Ｃ８−Ｃ１６ゲルベアルコールであり、ｘ４が２〜１０であり、ｙ４が１〜２である）、
【化１】
2018521202.tif 000001
（Ｆ）
（式中、ｘが１２〜２０であり、ｙが１２０〜２２０であり、ｚが１２〜２０である）、
【化２】
2018521202.tif 000002
（Ｇ）
（式中、ｘが８８〜１０８であり、ｙが５７〜７７であり、ｚが８８〜１０８である）、
【化３】
2018521202.tif 000003
（Ｈ）
（式中、ｘが１５〜２５であり、ｙが１０〜２５であり、ｚが１５〜２５である）、
Ｒ４−Ｏ−（ＥＯ）ｘ（ＸＯ）ｙ−Ｈ  （Ｉ）
（式中、Ｒ４が、Ｃ１３−Ｃ１５アルキルであり、ｘが８〜１０であり、ｙが１〜３であり、ＸＯがブチレンオキシドである）、
Ｒ５−Ｏ−（ＥＯ）ｘ（ＰＯ）ｙ−Ｈ  （Ｊ）
（式中、Ｒ５が、Ｃ１２−Ｃ１５アルキルであり、ｘが３〜５であり、ｙが５〜７である）、及び
それらの組み合わせ
からなる群からの少なくとも１つの追加の界面活性剤ポリマーをさらに含む、請求項１または２に記載の界面活性剤系。
【請求項４】
前記界面活性剤系の前記非イオン性アルコールアルコキシレートの重量比が、５〜８０重量部の式（ＡまたはＡ２）に従う前記アルコールアルコキシレートを含む、請求項１〜３のいずれか一項に記載の界面活性剤系。
【請求項５】
前記界面活性剤系の前記非イオン性アルコールアルコキシレートの重量比が、５〜８０重量部の式（Ｂ）に従う前記アルコールアルコキシレートを含む、請求項１〜４のいずれか一項に記載の界面活性剤系。
【請求項６】
前記界面活性剤系の前記非イオン性アルコールアルコキシレートの重量比が、５〜８０重量部の式（Ｃ）に従う前記アルコールアルコキシレートを含む、請求項２〜５のいずれか一項に記載の界面活性剤系。
【請求項７】
前記界面活性剤系の前記非イオン性アルコールアルコキシレートの重量比が、５〜８０重量部の式（ＡまたはＡ２）に従う前記アルコールアルコキシレート、５〜８０重量部の式（Ｂ）に従う前記アルコールアルコキシレート、及び５〜８０重量部の式（Ｃ）に従う前記アルコールアルコキシレートを含む、請求項２〜６のいずれか一項に記載の界面活性剤系。
【請求項８】
前記界面活性剤系の前記非イオン性アルコールアルコキシレートの重量比が、３０〜４５重量部の式（ＡまたはＡ２）に従う前記アルコールアルコキシレート、２０〜５０重量部の式（Ｂ）に従う前記アルコールアルコキシレート、及び５〜４０重量部の式（Ｃ）に従う前記アルコールアルコキシレートを含む、請求項２〜７のいずれか一項に記載の界面活性剤系。
【請求項９】
前記非イオン性アルコールアルコキシレートの比率が、約４０／６０（ＡまたはＡ２／Ｂ）〜約６０／４０（ＡまたはＡ２／Ｂ）である、請求項１〜８のいずれか一項に記載の界面活性剤系。
【請求項１０】
前記非イオン性アルコールアルコキシレートの比率が、約３０／３０／４０（ＡまたはＡ２／Ｂ／Ｃ）〜約４５／４５／１０（ＡまたはＡ２／Ｂ／Ｃ）である、請求項２〜９のいずれか一項に記載の界面活性剤系。
【請求項１１】
界面活性剤系であって、
以下の式：
Ｒ１−Ｏ−（ＥＯ）ｘ３（ＰＯ）ｙ３−Ｈ  （Ａ）
（式中、Ｒ１が直鎖Ｃ１０−Ｃ１６アルキルであり、ｘ３が５〜８であり、ｙ３が２〜５である）、または
Ｒ１−Ｏ−（ＥＯ）ｘ４（ＰＯ）ｙ４−Ｈ  （Ａ２）
（式中、Ｒ１が直鎖Ｃ１０−Ｃ１６アルキルであり、ｘ４が４〜６であり、ｙ４が３〜５である）に従う、少なくとも１つの非イオン性アルコールアルコキシレートと、
以下の式：
Ｒ２−Ｏ−（ＥＯ）ｘ１−Ｈ  （Ｂ）
（式中、Ｒ２が、残基１つ当たり平均少なくとも２つの分岐を有するＣ１０−Ｃ１４アルキルであり、ｘ１が５〜１０である）に従う、非イオン性アルコールアルコキシレートと、
以下の式：
Ｒ７−Ｏ−（ＰＯ）ｙ５（ＥＯ）ｘ５（ＰＯ）ｙ６  （Ｄ）
（式中、Ｒ７が、分岐鎖Ｃ８−Ｃ１６ゲルベアルコールであり、ｘ５が５〜３０であり、ｙ５が１〜４であり、ｙ６が１０〜２０である）に従う、非イオン性ゲルベアルコールアルコキシレートと、を含む、界面活性剤系。
【請求項１２】
以下の式：
Ｒ２−Ｏ−（ＥＯ）ｘ２−Ｈ  （Ｃ）
（式中、Ｒ２が、残基１つ当たり平均少なくとも２つの分岐を有するＣ１０−Ｃ１４アルキルであり、式中、ｘ２が２〜４である）、
Ｒ６−Ｏ−（ＰＯ）ｙ４（ＥＯ）ｘ４  （Ｅ）
（式中、Ｒ６が、Ｃ８−Ｃ１６ゲルベアルコールであり、ｘ４が２〜１０であり、ｙ４が１〜２である）、
【化４】
2018521202.tif 000004
（Ｆ）
（式中、ｘが１２〜２０であり、ｙが１２０〜２２０であり、ｚが１２〜２０である）、
【化５】
2018521202.tif 000005
（Ｇ）
（式中、ｘが８８〜１０８であり、ｙが５７〜７７であり、ｚが８８〜１０８である）、
【化６】
2018521202.tif 000006
（Ｈ）
（式中、ｘが１５〜２５であり、ｙが１０〜２５であり、ｚが１５〜２５である）、
Ｒ４−Ｏ−（ＥＯ）ｘ（ＸＯ）ｙ−Ｈ  （Ｉ）
（式中、Ｒ４が、Ｃ１３−Ｃ１５アルキルであり、ｘが８〜１０であり、ｙが１〜３であり、ＸＯがブチレンオキシドである）、
Ｒ５−Ｏ−（ＥＯ）ｘ（ＰＯ）ｙ−Ｈ  （Ｊ）
（式中、Ｒ５が、Ｃ１２−Ｃ１５アルキルであり、ｘが３〜５であり、ｙが５〜７である）、及び
それらの組み合わせ
からなる群からの少なくとも１つの追加の界面活性剤ポリマーをさらに含む、請求項１１に記載の界面活性剤系。
【請求項１３】
前記界面活性剤系の前記非イオン性アルコールアルコキシレートの重量比が、５〜８０重量部の式（ＡまたはＡ２）に従う前記アルコールアルコキシレートを含む、請求項１１または１２に記載の界面活性剤系。
【請求項１４】
前記界面活性剤系の前記非イオン性アルコールアルコキシレートの重量比が、５〜８０重量部の式（Ｂ）に従う前記アルコールアルコキシレートを含む、請求項１１〜１３のいずれか一項に記載の界面活性剤系。
【請求項１５】
前記界面活性剤系の前記非イオン性アルコールアルコキシレートの重量比が、５〜８０重量部の式（Ｄ）に従う前記ゲルベアルコールアルコキシレートを含む、請求項１１〜１４のいずれか一項に記載の界面活性剤系。
【請求項１６】
前記界面活性剤系の前記非イオン性アルコールアルコキシレートの重量比が、５〜８０重量部の式（ＡまたはＡ２）に従う前記アルコールアルコキシレート、５〜８０重量部の式（Ｂ）に従う前記アルコールアルコキシレート、及び５〜８０重量部の式（Ｄ）に従う前記アルコールアルコキシレートを含む、請求項１１〜１５のいずれか一項に記載の界面活性剤系。
【請求項１７】
前記界面活性剤系の前記非イオン性アルコールアルコキシレートの重量比が、１０〜４５重量部の式（ＡまたはＡ２）に従う前記アルコールアルコキシレート、１０〜５０重量部の式（Ｂ）に従う前記アルコールアルコキシレート、及び１５〜８０重量部の式（Ｄ）に従う前記アルコールアルコキシレートを含む、請求項１１〜１６のいずれか一項に記載の界面活性剤系。
【請求項１８】
前記非イオン性アルコールアルコキシレートの比率が、約３０／３０／４０（ＡまたはＡ２／Ｂ／Ｄ）〜約４５／４５／１０（ＡまたはＡ２／Ｂ／Ｄ）である、請求項１１〜１７のいずれか一項に記載の界面活性剤系。
【請求項１９】
請求項１〜１８のいずれか一項に記載の生体分解性界面活性剤系組成物を提供するステップと、
前記界面活性剤系を水と接触させて使用溶液を形成するステップと、
前記使用溶液をすすぐ必要がある表面に適用するステップであって、前記使用溶液が、８．５以下のｐＨを有し、約１ｐｐｍ〜約１２５ｐｐｍの界面活性剤系活性を提供する、ステップと、を含む、表面をすすぐためのプロセス。
【請求項２０】
前記界面活性剤系組成物の接触角を市販のすすぎ助剤組成物の接触角と比較して少なくとも約５°低減させ、シーティングを誘発し、前記表面のより速い乾燥時間をもたらすステップをさらに含む、請求項１９に記載のプロセス。
【請求項２１】
表面をすすぐための、請求項１〜１８のいずれか一項に記載の界面活性剤系組成物の使用。